(57)【要約】【課題】光学シートの振動に起因する光学シート又は導光板の損傷を抑制することができる照明装置及び表示装置を提供する。【解決手段】積層配置されている３枚の被支持片４１２，４２２，４３２が、粘着テープ５１を用いて第２枠体３２に貼り付けられる。被支持片４１２，４２２，４３２は正面側から背面側へこの順に配され、また、この順に面積が大きくなる。故に、粘着テープ５１の粘着面を正面側から近づければ、被支持片４１２，４２２，４３２夫々の前面における他の被支持片４１２，４２２，４３２に被覆されていない部分が、粘着テープ５１の粘着面に十分に接着する。故に、被支持片４１２，４２２，４３２を第２枠体３２に確実に貼り付けることができる。この結果、被支持片４１２，４２２，４３２を有する光学シート４１，４２，４３夫々の振動を容易に抑制することができる。【選択図】図５
2015090816.tif 000002
【特許請求の範囲】
【請求項１】
光源部が発した光を一面から出射する導光板と、
該導光板の前記一面の側にて積層配置されているＮ（Ｎは複数）枚の光学シートと、
該Ｎ枚の光学シートを支持する支持部材と
を備える照明装置において、
前記Ｎ枚の光学シート夫々の周縁部における互いに対応する位置に、夫々の面積を積層方向に順に増／減してある被支持片が設けられており、
前記Ｎ枚の光学シートの互いに対応するＮ枚の被支持片を前記支持部材に貼り付ける粘着テープを備えることを特徴とする照明装置。
【請求項２】
前記支持部材は、前記Ｎ枚の被支持片よりも前記積層方向の一側に配されており、
前記Ｎ枚の被支持片は、前記支持部材に近いものほど面積が大きく、
前記粘着テープは、前記積層方向の他側から前記Ｎ枚の被支持片を前記支持部材に貼り付けていることを特徴とする請求項１に記載の照明装置。
【請求項３】
前記Ｎ枚の被支持片は、面積が大きい被支持片ほど、前記光学シートの周縁方向の長さが長いことを特徴とする請求項１又は２に記載の照明装置。
【請求項４】
前記Ｎ枚の被支持片夫々の対応する位置には貫通孔が形成してあり、
前記支持部材には、前記Ｎ枚の被支持片の貫通孔に挿入される位置決め突起が設けられていることを特徴とする請求項１から３の何れかひとつに記載の照明装置。
【請求項５】
請求項１から４の何れかひとつに記載の照明装置と、
該照明装置によって背面側から照明される表示パネルと
を備えることを特徴とする表示装置。
【発明の詳細な説明】
【技術分野】
【０００１】
本発明は、複数枚の光学シートとこれらを支持する支持部材とを備える照明装置及び表示装置に関する。
【背景技術】
【０００２】
液晶表示装置は、映像を表示する液晶表示パネルと、液晶表示パネルの背面側から液晶表示パネルを照明するバックライトユニットとを備える。
従来、エッジライト方式のバックライトユニットが提案されている（特許文献１参照）。
エッジライト方式のバックライトユニットは、液晶表示パネルの背面側に、光学シート群を介して導光板を配置し、導光板の端面に対向して、光源部を配置してなる。光学シート群は、夫々が光拡散機能又は集光機能等を有する複数枚の光学シートを積層してなる。
【０００３】
特許文献１に記載されている液晶表示装置の場合、光学シート群は、導光板を収容している下側ケースによって支持される。このために、３枚の光学シート（文中「拡散シート」及び「プリズムシート」）夫々の周縁部には、矩形状の突出部が設けられており、各突出部には、円形状の貫通孔が形成されている。一方、下側ケースには、正面側へ突出する円柱状の柱状部材が配されている。
【０００４】
突出部の貫通孔には、下側ケースの柱状部材が背面側から挿入される。この結果、各光学シートは下側ケースに対して位置決めされ、また、下側ケースによって支持される。
【先行技術文献】
【特許文献】
【０００５】
【特許文献１】特開２００２−１９６３１２号公報
【発明の概要】
【発明が解決しようとする課題】
【０００６】
光学シートの突出部における貫通孔の内径は、下側ケースの柱状部材の外径以上である。従って、柱状部材の周面と貫通孔の内面との間に空隙が生じ得る。この結果、液晶表示装置の振動に伴い、各光学シートが微小振動することがある。このとき、光学シート同士、又は光学シートと導光板とが擦り合わされて、光学シート又は導光板の表面が損傷する虞がある。
光学シートの振動を抑制するためには、粘着テープを用いて各光学シートの突出部を下側ケースに貼り付けることが考えられる。とはいえ、３枚の光学シート夫々の突出部を１枚ずつ下側ケースに貼り付ける作業は煩雑である。
【０００７】
そこで、正面側から粘着テープを用いて、３枚の光学シート夫々の突出部を積層した状態で、下側ケースに貼り付けることが考えられる。
しかしながら、このような構成の場合、最も正面側の１枚の光学シートと下側ケースとの間で、背面側の２枚の光学シート夫々が微小振動してしまうことを抑制することができない。何故ならば、各光学シートの突出部は、正面視の形状及び寸法が同一であり、正面側の突出部が、背面側の突出部を全面的に被覆してしまうからである。故に、最も正面側の１枚の光学シートは突出部が粘着テープの粘着面に十分に接着する。一方、背面側の２枚の光学シート夫々は、突出部が粘着テープの粘着面にほとんど接着することができない。
【０００８】
本発明は斯かる事情に鑑みてなされたものであり、その主たる目的は、光学シートの振動に起因する光学シート又は導光板の損傷を抑制することができる照明装置及び表示装置を提供することにある。
【課題を解決するための手段】
【０００９】
本発明に係る照明装置は、光源部が発した光を一面から出射する導光板と、該導光板の前記一面の側にて積層配置されているＮ（Ｎは複数）枚の光学シートと、該Ｎ枚の光学シートを支持する支持部材とを備える照明装置において、前記Ｎ枚の光学シート夫々の周縁部における互いに対応する位置に、夫々の面積を積層方向に順に増／減してある被支持片が設けられており、前記Ｎ枚の光学シートの互いに対応するＮ枚の被支持片を前記支持部材に貼り付ける粘着テープを備えることを特徴とする。
【００１０】
本発明に係る照明装置は、前記支持部材は、前記Ｎ枚の被支持片よりも前記積層方向の一側に配されており、前記Ｎ枚の被支持片は、前記支持部材に近いものほど面積が大きく、前記粘着テープは、前記積層方向の他側から前記Ｎ枚の被支持片を前記支持部材に貼り付けていることを特徴とする。
【００１１】
本発明に係る照明装置は、前記Ｎ枚の被支持片は、面積が大きい被支持片ほど、前記光学シートの周縁方向の長さが長いことを特徴とする。
【００１２】
本発明に係る照明装置は、前記Ｎ枚の被支持片夫々の対応する位置には貫通孔が形成してあり、前記支持部材には、前記Ｎ枚の被支持片の貫通孔に挿入される位置決め突起が設けられていることを特徴とする。
【００１３】
本発明に係る表示装置は、本発明に係る照明装置と、該照明装置によって背面側から照明される表示パネルとを備えることを特徴とする。
【００１４】
本発明に係るテレビジョン受信機は、本発明に係る表示装置と、テレビジョン放送を受信する受信部とを備え、該受信部にて受信したテレビジョン放送に基づいて、前記表示装置に映像を表示するようにしてあることを特徴とする。
【発明の効果】
【００１５】
本発明の照明装置及び表示装置による場合、Ｎ枚の被支持片の内、積層方向の一側の被支持片は、積層方向の他側の被支持片よりも面積が大きい。このため、Ｎ枚の被支持片よりも積層方向の他側に粘着テープを配置すれば、各被支持片が、粘着テープに十分に接着する。故に、Ｎ枚の被支持片夫々を支持部材に確実に貼り付けることができる。即ち、Ｎ枚の光学シート夫々を支持部材に簡便に固定することができる。この結果、Ｎ枚の光学シート夫々の振動を容易に抑制することができる。従って、光学シートの振動に起因する光学シート又は導光板の損傷を抑制することができる。
【図面の簡単な説明】
【００１６】
【図１】本発明の実施の形態１に係る表示装置を備えるテレビジョン受信機の構成を略示する斜視図である。
【図２】テレビジョン受信機の構成を略示する分解斜視図である。
【図３】テレビジョン受信機の構成を略示する拡大分解斜視図である。
【図４】本発明の実施の形態１に係る照明装置としてのバックライトユニットが備える光学シートの配置を模式的に示す正面図である。
【図５】本発明の実施の形態１に係る照明装置としてのバックライトユニットが備える光学シートの配置を模式的に示す水平断面図である。
【図６】バックライトユニットの組み立て手順を説明するための模式的な水平断面図である。
【図７】従来のバックライトユニットが備える光学シートの配置を模式的に示す水平断面図である。
【図８】本発明の実施の形態２に係る照明装置としてのバックライトユニットが備える光学シートの配置を模式的に示す水平断面図である。
【図９】本発明の実施の形態３に係る照明装置としてのバックライトユニットが備える光学シートの配置を模式的に示す水平断面図である。
【発明を実施するための形態】
【００１７】
以下、本発明を、その実施の形態を示す図面に基づいて詳述する。以下の説明では、図において矢符で示す上下、前後、及び左右を使用する。
【００１８】
（実施の形態  １．）
図１、図２、及び図３は、本発明の実施の形態１に係る表示装置１１を備えるテレビジョン受信機１の構成を略示する斜視図、分解斜視図、及び拡大分解斜視図である。
図４及び図５は、本発明の実施の形態１に係る照明装置としてのバックライトユニット２３が備える光学シート４１，４２，４３の配置を模式的に示す正面図及び水平断面図である。図５は、図４のIV−IV線の断面図でもある。
図６は、バックライトユニット２３の組み立て手順を説明するための模式的な水平断面図である。
【００１９】
テレビジョン受信機１は、表示装置１１、受信部１２、信号処理部１３、スタンド１４、及びキャビネット１５等を備える。
表示装置１１は、第１枠体２１、表示パネル２２、バックライトユニット２３、及びバックライトシャーシ（以下、ＢＬシャーシという）２４を備える。
バックライトユニット２３は、光学シート群３１、第２枠体３２、導光板３３、反射シート３４、支持体３５１，３５２、光源部３６１，３６２、及びヒートシンク３７１，３７２を備える。
【００２０】
まず、テレビジョン受信機１の大略について説明する。
テレビジョン受信機１は据え置き式である。表示装置１１は矩形状である。表示装置１１は受信部１２及び信号処理部１３を内蔵し、表示パネル２２の表示領域を露出させた状態でキャビネット１５に収容される。スタンド１４は、表示装置１１を載置台（例えばいわゆるテレビ台）に載置するための脚部として機能し、表示装置１１を縦姿勢で支持する。
なお、テレビジョン受信機１は、据え置き式に限定されず、例えば壁掛け式でもよい。この場合、テレビジョン受信機１がスタンド１４を備えている必要はない。
受信部１２及び信号処理部１３は表示装置１１の外部にあってもよい。
【００２１】
次に、テレビジョン受信機１の各部について説明する。
表示パネル２２は液晶表示パネルを用いてなる。表示パネル２２は、矩形状になしてあり、縦姿勢で配される。表示パネル２２は矩形状の表示領域と、表示領域を囲繞する矩形枠状の額縁領域とを有する。表示パネル２２は、正面側のガラス基板と背面側のガラス基板とを用いてなる。２枚のガラス基板の間には液晶が封止されている。表示パネル２２の透過率は、表示パネル２２の液晶に印加された電圧に応じて変化する。
【００２２】
第１枠体２１及び第２枠体３２は、夫々矩形状になしてある。第１枠体２１は、表示パネル２２の上辺部及び下辺部と左辺部及び右辺部とに対応する各横棒状の上枠部２１１及び下枠部２１２と各縦棒状の左枠部２１３及び右枠部２１４とを有する。第２枠体３２は、第１枠体２１の上枠部２１１及び下枠部２１２と左枠部２１３及び右枠部２１４とに対応する各横棒状の上枠部（支持部材）３２１及び下枠部３２２と各縦棒状の左枠部３２３及び右枠部３２４とを有する。
第１枠体２１（又は第２枠体３２）の開口の上下方向及び左右方向夫々の長さ（以下、縦横長さという）は、表示パネル２２の表示領域の縦横長さと同程度である。
【００２３】
第２枠体３２の上枠部３２１はアングル材を用いてなり、縦姿勢の前面部３２ａと、横姿勢の上面部３２ｂとを有する。前面部３２ａの上端部と上面部３２ｂの前端部とは一体に連結されている。
上枠部３２１の前面部３２ａには、正面視矩形状の位置決め突起３２５がＭ個突設されている（図３には２個のみ図示、図４〜図６には各１個図示）。ここで、Ｍは自然数であり、本実施の形態ではＭ＝５である。Ｍ個の位置決め突起３２５，３２５，…は、前面部３２ａの左端部から右端部に亘って左右方向に等配されている。
【００２４】
光学シート群３１は、Ｎ枚の光学シート４１，４２，…が積層配置されたものである。ここで、ＮはＮ≧２の自然数であり、本実施の形態ではＮ＝３である。光学シート４３，４２，４１は、背面側から正面側へこの順に積層配置される。つまり、光学シート４１，４２，４３の積層方向は背面側から正面側へ向かう方向である。
【００２５】
光学シート４１は、例えば偏光機能を有する合成樹脂製のシートである。光学シート４１は、矩形状のシート本体４１１と、Ｍ個の被支持片４１２，４１２，…とを一体に有する。
シート本体４１１の縦横長さは、第２枠体３２の開口の縦横長さよりも長い。また、シート本体４１１の左右方向の長さ（以下、横長さという）は、第２枠体３２に係る上枠部３２１の前面部３２ａの横長さと同程度である。
【００２６】
各被支持片４１２はシート本体４１１に対して面一であり、シート本体４１１の上辺部（周縁部）に突設されている。被支持片４１２の上下左右方向中央部には、矩形状の貫通孔４１３が形成してある。被支持片４１２の上下方向の長さ（以下、縦長さという）は、第２枠体３２に係る上枠部３２１の前面部３２ａの上下長さと同程度である。
【００２７】
Ｍ個の被支持片４１２，４１２，…は、シート本体４１１の上辺部の左端部から右端部に亘って左右方向に等配されている。被支持片４１２，４１２，…の内、左側４個は同一形状（具体的には矩形状）になしてあるが、最も右側の１個は、他の４個とは異なる形状（具体的には矩形の一隅が切り欠かれたような形状）になしてある。このため、被支持片４１２，４１２，…夫々の配置位置及び形状を手掛かりにすれば、作業者は光学シート４１の上下左右を容易に判別することができる。
【００２８】
光学シート４２は、例えば集光機能を有する合成樹脂製のシートであり、光学シート４３は、例えば光拡散機能を有する合成樹脂製のシートである。光学シート４２，４３夫々の形状は、光学シート４１の形状と略同様の構成である。即ち、光学シート４２は、シート本体４２１とＭ個の被支持片４２２，４２２，…とを一体に有し、光学シート４３は、シート本体４３１とＭ個の被支持片４３２，４３２，…とを一体に有する。各被支持片４２２は貫通孔４２３を有し、各被支持片４３２は貫通孔４３３を有する。
【００２９】
光学シート４１，４２，４３の各Ｍ個の被支持片４１２，４１２，…と被支持片４２２，４２２，…と被支持片４３２，４３２，…とは、互いに対応する位置（具体的には上下左右方向に関して同じ位置）に配される。このため、光学シート４１，４２，４３の各Ｍ個の貫通孔４１３，４１３，…と貫通孔４２３，４２３，…と貫通孔４３３，４３３，…とは、互いに対応する位置に配される。各貫通孔４１３，４２３，４３３夫々の縦横長さは、位置決め突起３２５の縦横長さより長い。
【００３０】
ただし、光学シート４２の被支持片４２２は、光学シート４１の被支持片４１２よりも面積が大きく、光学シート４３の被支持片４３２は、光学シート４２の被支持片４２２よりも面積が大きい。このために、被支持片４２２の横長さは、被支持片４１２の横長さよりも長く、被支持片４３２の横長さは、被支持片４２２の横長さよりも長くしてある（例えば被支持片４１２，４２２，４３２の順に30mm、40mm、及び50mm）。一方、被支持片４１２，４２２，４３２夫々の縦長さは等しい（例えば9.5mm ）。
【００３１】
つまり、互いに対応するＮ枚の被支持片４１２，４２２，４３２は、夫々の面積が積層方向に順に減少する。換言すれば、背面側に積層されるものほど面積が大きい。また、Ｎ枚の被支持片４１２，４２２，４３２は、面積が大きいものほど、横長さ（即ち光学シート４１，４２，４３夫々の周縁方向の長さ）が長い。
被支持片４１２，４２２，４３２夫々の厚みの和（即ち、被支持片４１２，４２２，４３２の積層体の厚み）は、位置決め突起３２５の第２枠体３２の上枠部３２１からの突出量よりも小さい。
【００３２】
導光板３３は矩形板状になしてある。導光板３３は、例えばアクリル樹脂を用いてなる。導光板３３の縦横長さは、第２枠体３２の開口の縦横長さよりも長い。
導光板３３は、導光板３３の内部に入射した光を、導光板３３の前面から出射させる。ただし、導光板３３の内部に入射した光の一部が導光板３３の後面を透過する（即ち漏光が生じる）ことがある。
反射シート３４は矩形状になしてある、反射シート３４の縦横長さは導光板３３の縦横長さよりも長い。
【００３３】
支持体３５１，３５２は、各横棒状になしてある。支持体３５１，３５２夫々の長さは、反射シート３４の横長さと同程度である。
光源部３６１は、横姿勢に配された左右方向に細長い矩形状のＬＥＤ基板と、ＬＥＤ基板の下面に、左右方向に一列に等配実装された複数個のＬＥＤとを有する。光源部３６１の横長さは、導光板３３の横長さと同程度である。光源部３６２は、光源部３６１と略同様の構成であるが、複数個のＬＥＤはＬＥＤ基板の上面に実装してある。
ヒートシンク３７１，３７２夫々は、横姿勢で配されたアングル材を用いてなる。ヒートシンク３７１，３７２夫々の横長さは、光源部３６１，３６２夫々の横長さと同程度である。光源部３６１，３６２が発した熱は、ヒートシンク３７１，３７２を介してテレビジョン受信機１の外部に排出される。
【００３４】
ＢＬシャーシ２４は矩形トレイ状の収容体である。ＢＬシャーシ２４は、皿の底面に相当する正面視矩形状の壁部２４１と、皿の周面に相当する周面部とを有する。
壁部２４１の正面側には、ＢＬシャーシ２４を補強する２個の補強材２４２，２４３が左右方向に並設されている。補強材２４２，２４３夫々は、縦姿勢の棒状部材である。
【００３５】
受信部１２は、図示しない受信回路が実装された回路基板である。受信回路は、図示しないアンテナを介して外部からテレビジョン放送を受信する。
信号処理部１３は、図示しない信号処理回路が実装された回路基板である。信号処理回路は、受信部１２が受信したテレビジョン信号に所定の信号処理を施すことによって、映像データを出力する。
スタンド１４には、夫々縦姿勢で配された左右２本の柱状部１４１，１４２が突設されている。
【００３６】
次に、テレビジョン受信機１の各部の位置関係を説明する。
図６に示すように、第２枠体３２の上枠部３２１の位置決め突起３２５，３２５，…は、まず、光学シート４３の被支持片４３２，４３２，…の貫通孔４３３，４３３，…に背面側から挿入され、次いで、光学シート４２の被支持片４２２，４２２，…の貫通孔４２３，４２３，…に背面側から挿入され、次に、光学シート４１の被支持片４１２，４１２，…の貫通孔４１３，４１３，…に背面側から挿入される。すると、各位置決め突起３２５が貫通孔４１３，４２３，４３３に遊嵌される。位置決め突起３２５の先端部は、光学シート４１の被支持片４１２から正面側に突出する（図５参照）。
【００３７】
以上の結果、光学シート４１，４２，４３は第２枠体３２に対して位置決めされ、第２枠体３２の正面側にて光学シート４３，４２，４１の順に積層配置されて、第２枠体３２の上枠部３２１から吊り下げられる。
このとき、図５に示すように、各被支持片４１２は、被支持片４２２の左右方向中央部を被覆し、被支持片４２２は、被支持片４３２の左右方向中央部を被覆する。故に、各被支持片４１２の前面と、被支持片４２２，４３２夫々の前面の左右両端部とは、他の被支持片４１２，４２２，４３２に被覆されることなく露出している。換言すれば、被支持片４１２，４２２，４３２の積層体は、左右両端部側から左右方向中央部側に向けて高くなる横長の階段状をなす。
【００３８】
各位置決め突起３２５の周面と貫通孔４１３，４２３，４３３の内面との間には空隙が生じる。故に、このままでは光学シート４１，４２，４３夫々は、第２枠体３２の上枠部３２１から吊り下げられた姿勢で微小振動可能な状態にある。
そこで、光学シート４１，４２，４３夫々の微小振動を抑制すべく、Ｍ枚の粘着テープ５１，５１，…が用いられる。
各粘着テープ５１は透光性及び耐熱性を有する。粘着テープ５１は、左右方向に長い矩形状の片面テープである。粘着テープ５１の横長さ（即ち長手方向の長さ）は、被支持片４３２の横長さよりも長く、例えば65mmである。このとき、粘着テープ５１の短手方向の長さは、被支持片４１２，４２２，４３２夫々の縦長さよりも長く、例えば17mmである。何故ならば、粘着テープ５１は、後述するように、短手方向中央部で折り曲げられたＬ字状の状態で貼り付けられるからである。粘着テープ５１の厚みは十分に薄い（例えば0.2mm ）。
【００３９】
作業者は、光学シート４１，４２，４３の各被支持片４１２，４２２，４３２の積層体に対し、粘着テープ５１の粘着面を、正面側から接近させる。このとき、作業者は、粘着テープ５１の下半分について、左右方向中央部を被支持片４１２に押し付け、左右方向中央部よりも左右両側部を、被支持片４２２の左右両端部、被支持片４３２の左右両端部、及び第２枠体３２に係る上枠部３２１の前面部３２ａに、この順に押し付ける。また、作業者は、粘着テープ５１を上下方向中央部で折り曲げ、粘着テープ５１の上半分を第２枠体３２に係る上枠部３２１の上面部３２ｂに押し付ける。以上の結果、光学シート４１，４２，４３の各被支持片４１２，４２２，４３２の積層体が、まとめて第２枠体３２に貼り付けられる。
【００４０】
粘着テープ５１によって、被支持片４１２，４２２，４３２夫々が第２枠体３２に貼り付けられるため、光学シート４１，４２，４３は夫々第２枠体３２に固定される。つまり、光学シート４１，４２，４３夫々が微小振動することが抑制される。
【００４１】
なお、粘着テープ５１は非透光性を有していてもよいが、透光性を有している方が作業性が高い。何故ならば、作業者が、粘着テープ５１を通して、粘着テープ５１が被支持片４１２，４２２，４３２夫々及び第２枠体３２の上枠部３２１に接着した様子を視認しながら作業を進めることができるからである。
また、粘着テープ５１の枚数は１枚以上、Ｍ枚以下であればよい。例えば粘着テープ５１の枚数が３枚である場合、作業者は、左右方向中央部に位置する被支持片４１２，４２２，４３２の積層体１個と、左右両端部に位置する被支持片４１２，４２２，４３２の積層体各１個とを、第２枠体３２の上枠部３２１に貼り付けてもよい。また、例えば粘着テープ５１の枚数が１枚である場合、作業者は、左右方向中央部に位置する被支持片４１２，４２２，４３２の積層体１個を、第２枠体３２の上枠部３２１に貼り付けてもよい。
【００４２】
ところで、粘着テープ５１は位置決め突起３２５の先端部にも接着する。何故ならば、位置決め突起３２５の先端部が光学シート４１の被支持片４１２から正面側に突出しているからである。故に、粘着テープ５１が部分的に被支持片４１２から浮き上がる。このせいで粘着テープ５１の粘着面と被支持片４１２の前面との接着面積が不十分になる場合、作業者は、例えば、粘着テープ５１に貫通孔を形成し、この貫通孔に位置決め突起３２５の先端部を挿入してもよい。或いは、作業者は、被支持片４１２，４２２，４３２の積層体１個に対して左右２枚の粘着テープ５１，５１を用い、位置決め突起３２５の先端部を避けて粘着テープ５１，５１を被支持片４１２，４２２，４３２夫々に接触させてもよい。
【００４３】
表示パネル２２は、第１枠体２１と、光学シート群３１が取り付けられた第２枠体３２との間で支持される。具体的には、表示パネル２２の額縁領域が、正面側に配された第１枠体２１と背面側に配された第２枠体３２とに、図示しない緩衝部材を介して挟持される。この結果、光学シート群３１は、表示パネル２２の表示領域を背面側から覆う。
【００４４】
導光板３３及び反射シート３４は、正面側に配された第２枠体３２と背面側に配された支持体３５１，３５２との間で支持される。具体的には、導光板３３の後面と反射シート３４の前面とが対面配置され、導光板３３及び反射シート３４の上辺部（又は下辺部）が、第２枠体３２の上枠部３２１と支持体３５１と（又は第２枠体３２の下枠部３２２と支持体３５２と）に、図示しない緩衝部材を介して挟持される。
このとき、反射シート３４は導光板３３の後面を被覆する。従って、導光板３３の後面からの漏光は、反射シート３４にて反射し、再び導光板３３の内部に入射する。また、導光板３３は、表示パネル２２の表示領域を、光学シート群３１を介在して背面側から覆う。
【００４５】
ＢＬシャーシ２４は、第２枠体３２と支持体３５１，３５２とに支持された導光板３３及び反射シート３４、並びに光源部３６１，３６２及びヒートシンク３７１，３７２を収容する。この内、ヒートシンク３７１（又はヒートシンク３７２）と支持体３５１（又は支持体３５２）とは、ＢＬシャーシ２４の壁部２４１の上辺部（又は下辺部）に取り付けられる。光源部３６１（又は光源部３６２）は、ヒートシンク３７１（又はヒートシンク３７２）に取り付けられる。このとき、光源部３６１（又は光源部３６２）は、導光板３３の上端面（又は下端面）に、適長離隔して対向配置される。
なお、光源部３６１，３６２は、導光板３３の左右両側端面に対向配置されている構成でもよい。また、光源部３６１，３６２の一方のみが備えられている構成でもよい。
【００４６】
ＢＬシャーシ２４の壁部２４１の背面側には、受信部１２及び信号処理部１３が取り付けられる。
ＢＬシャーシ２４の補強材２４２，２４３の下部には、スタンド１４の柱状部１４１，１４２が取り付けられる。
【００４７】
次に、バックライトユニット２３による表示パネル２２の照明について説明する。
光源部３６１，３６２が発した光は、導光板３３の上下両端面を透過して導光板３３の内部に入射する。
導光板３３の内部に入射した光は、導光板３３の前面から出射する。導光板３３から出射した光は、光学シート群３１による拡散、集光、及び偏光を経て、表示パネル２２の後面を透過し、表示パネル２２の内部に入射する。
以上のように、表示パネル２２は、バックライトユニット２３によって背面側から照明される。表示パネル２２の内部に入射した光は、表示パネル２２を透過するか、又は、表示パネル２２の通過を遮断される。この結果、表示パネル２２の表示領域に映像が表示される。
【００４８】
ところで、光学シート群３１は、第２枠体３２に取り付けられる構成に限定されない。例えば、光学シート群３１は、第１枠体２１又はキャビネット１５等に取り付けられる構成でもよい。
また、光学シート４１，４２，４３の各被支持片４１２，４２２，４３２は、横長さが同一で縦長さが異なる構成でもよい。この場合、被支持片４１２，４２２，４３２の積層体は、上端部側から下端部側に向けて高くなる縦長の階段状をなす。しかしながら、この場合、被支持片４１２，４２２，４３２の積層体を配置するために第２枠体３２に係る上枠部３２１の前面部３２ａの縦長さを長くする必要がある。故に、表示装置１１の狭額縁化が阻害され得る。
【００４９】
次に、本実施の形態のバックライトユニット２３と従来のバックライトユニットとの差異について説明する。
図７は、従来のバックライトユニットが備える光学シート４１，４２，４３の配置を模式的に示す水平断面図である。図７は、図５に対応する。
本実施の形態のバックライトユニット２３と従来のバックライトユニットとは略同様の構成である。ただし、従来のバックライトユニットが備える光学シート４１，４２，４３は、本実施の形態の被支持片４１２，４２２，４３２に替えて、被支持片４１４，４２４，４３４を有する。
【００５０】
被支持片４１４は被支持片４１２に対応し、貫通孔４１３を有する。同様に、被支持片４２４，４３４は被支持片４２２，４３２に対応し、貫通孔４２３，４３３を有する。ところが、被支持片４１４，４２４，４３４夫々の縦横長さは互いに等しい。
【００５１】
故に、被支持片４１４，４２４，４３４の積層体においては、被支持片４３４が被支持片４２４に全面的に被覆されてしまい、被支持片４２４が被支持片４１４に全面的に被覆されてしまう。このため、粘着テープ５１の粘着面は被支持片４１４の前面には十分に接着するが、被支持片４２４，４３４の何れに対してもほとんど接着しない。このため、被支持片４１４を第２枠体３２の上枠部３２１に貼り付けることはできるが、被支持片４２４，４３４を第２枠体３２の上枠部３２１に貼り付けることはできない。つまり、光学シート４１は第２枠体３２の上枠部３２１に固定されるが、光学シート４２，４３は固定されず、微小振動可能な状態のままである。
【００５２】
このため、例えばテレビジョン受信機１に対する振動試験が行われた場合、従来のバックライトユニットにおいては、テレビジョン受信機１の振動に伴って光学シート４２，４３が微小振動する。このとき、光学シート４１，４２，４３が互いに擦り合わされて、これらの表面が損傷する虞がある。また、光学シート４１と表示パネル２２とが接近配置又は接触配置されていれば、表示パネル２２に擦り合わされた光学シート４１の前面が損傷する虞がある。更に、光学シート４３と導光板３３とが接近配置又は接触配置されていれば、互いに擦り合わされた光学シート４３の後面と導光板３３の前面とが損傷する虞がある。
光学シート４１，４２，４３又は導光板３３の損傷は、光の無用な散乱の原因となる。即ち、光学シート４１，４２，４３又は導光板３３の光学的機能が劣化する。
【００５３】
このような不都合を解消するために、従来のバックライトユニットにおいて、被支持片４１４，４２４，４３４に対して３枚の両面テープを用いることが考えられる。具体的には、作業者は第１の両面テープを用いて被支持片４３４の後面を第２枠体３２の上枠部３２１に貼り付け、更に第２の両面テープを用いて被支持片４２４の後面を被支持片４３４の前面に貼り付け、更にまた第３の両面テープを用いて被支持片４１４の後面を被支持片４２４の前面に貼り付ける。
この場合、光学シート４１，４２，４３の微小振動は抑制されるが、３枚の両面テープを用いた貼り付け作業は煩雑である。しかも、積層された両面テープ３枚分の厚みが表示装置１１の薄型化を阻害する虞がある。
【００５４】
一方、本実施の形態のバックライトユニット２３においては、光学シート４１，４２，４３夫々の微小振動が、被支持片４１２，４２２，４３２の積層体１個に対して１枚の粘着テープ５１を用いることによって抑制されている。このため、光学シート４１，４２，４３の微小振動に起因する光学シート４１，４２，４３又は導光板３３の損傷が抑制されている。つまり、光学シート４１，４２，４３又は導光板３３の光学的機能の劣化が抑制されている。また、１枚の粘着テープ５１を用いた貼り付け作業は簡易である。更に、粘着テープ５１の厚みが表示装置１１の薄型化を阻害する虞はない。
【００５５】
（実施の形態  ２．）
図８は、本発明の実施の形態２に係る照明装置としてのバックライトユニット２３が備える光学シート４１，４２，４３の配置を模式的に示す水平断面図である。図８は、図５に対応する。
本実施の形態の表示装置１１は、実施の形態１の表示装置１１と略同様の構成である。以下では、実施の形態１との差異について説明し、その他、実施の形態１に対応する部分には同一符号を付してそれらの説明を省略する。
本実施の形態の光学シート４１，４２，４３は、実施の形態１の被支持片４１２，４２２，４３２及び粘着テープ５１に替えて、被支持片４１５，４２５，４３５及び粘着テープ５２を有する。
【００５６】
被支持片４１５は被支持片４１２に対応し、貫通孔４１３を有する。同様に、被支持片４２５，４３５は被支持片４２２，４３２に対応し、貫通孔４２３，４３３を有する。
ただし、光学シート４２の被支持片４２５は、光学シート４１の被支持片４１５よりも面積が小さく、光学シート４３の被支持片４３５は、光学シート４２の被支持片４２５よりも面積が小さい。このために、被支持片４２５の横長さは、被支持片４１５の横長さよりも短く、被支持片４３５の横長さは、被支持片４２５の横長さよりも短くしてある。一方、被支持片４１５，４２５，４３５夫々の縦長さは同一である。
【００５７】
つまり、互いに対応するＮ枚の被支持片４１５，４２５，４３５は、夫々の面積が積層方向に順に増大する。即ち、正面側に積層されるものほど面積が大きい。
各粘着テープ５２は耐熱性を有し、左右方向に長い矩形状の両面テープである。粘着テープ５２の上下左右方向の中央部には貫通孔５２１が形成されている。粘着テープ５２の縦長さは、第２枠体３２に係る上枠部３２１の前面部３２ａの縦長さと同程度である。
【００５８】
作業者は、粘着テープ５２の貫通孔５２１に第２枠体３２の上枠部３２１の位置決め突起３２５を挿通して、粘着テープ５２の背面側の粘着面を第２枠体３２に係る上枠部３２１の前面部３２ａに接着する。
次に、作業者は、光学シート４３の被支持片４３５の貫通孔４３３に位置決め突起３２５を挿通して、被支持片４３５の後面を粘着テープ５２の正面側の粘着面に押し付ける。
次いで、作業者は、光学シート４２の被支持片４２５の貫通孔４２３に位置決め突起３２５を挿通して、被支持片４２５の後面の左右両端部を粘着テープ５２の正面側の粘着面に押し付ける。このとき、被支持片４２５の後面の左右方向中央部は、被支持片４３５の前面に接触するため粘着テープ５２には接触しない。
【００５９】
次に、作業者は、光学シート４１の被支持片４１５の貫通孔４１３に位置決め突起３２５を挿通して、被支持片４１５の後面の左右両端部を粘着テープ５２の正面側の粘着面に押し付ける。このとき、被支持片４１５の後面の左右方向中央部は、被支持片４２５の前面に接触するため粘着テープ５２には接触しない。
以上の結果、光学シート４１，４２，４３の各被支持片４１５，４２５，４３５の積層体が、まとめて第２枠体３２に貼り付けられる。
【００６０】
このとき、光学シート４１，４２，４３は第２枠体３２に対して位置決めされ、第２枠体３２の正面側にて積層配置されて、第２枠体３２の上枠部３２１から吊り下げられる。且つ、光学シート４１，４２，４３は夫々第２枠体３２に固定される。つまり、光学シート４１，４２，４３夫々が微小振動することが抑制される。
【００６１】
（実施の形態  ３．）
図９は、本発明の実施の形態３に係る照明装置としてのバックライトユニット２３が備える光学シート４１，４２，４３の配置を模式的に示す水平断面図である。ただし、粘着テープ５１の図示は省略してある。
本実施の形態の表示装置１１は、実施の形態１の表示装置１１と略同様の構成である。以下では、実施の形態１との差異について説明し、その他、実施の形態１に対応する部分には同一符号を付してそれらの説明を省略する。
本実施の形態では、Ｍ＝３である。
第２枠体３２の下枠部３２２には、上枠部３２１の位置決め突起３２５と同様の位置決め突起３２６が設けられている。位置決め突起３２６は、下枠部３２２の左右方向中央部に配されている。
【００６２】
光学シート４１は、被支持片４１２，４１２，…の他に、被支持片４１６を有する。被支持片４１６はシート本体４１１に対して面一であり、シート本体４１１の下辺部に突設されている。被支持片４１６の上下左右方向中心位置には、貫通孔４１３と同様の貫通孔が形成してある。
同様に、光学シート４２，４３は、被支持片４２６，４３６を有する。被支持片４２６，４３６夫々の上下左右方向中心位置には、貫通孔４２３，４３３と同様の貫通孔が形成してある。
被支持片４１６，４２６，４３６は、夫々の貫通孔が位置決め突起３２６に挿通されることによって、被支持片４１２，４２２，４３２と同様に、第２枠体３２に対する光学シート４１，４２，４３の位置決め及び取り付けに寄与する。
【００６３】
被支持片４１６，４２６，４３６の積層体も、被支持片４１２，４２２，４３２の積層体と同様に階段状をなす。このため、粘着テープ５１を用いて被支持片４１６，４２６，４３６の積層体を第２枠体３２の下枠部３２２に貼り付ければ、光学シート４１，４２，４３夫々の微小振動を更に確実に抑制することができる。
【００６４】
本発明の実施の形態における各光学シートが有する被支持片は、光学シートの上部に設けられる構成に限定されず、下部、又は左右両側部等に設けられていてもよい。
また、貫通孔が形成されておらず、位置決めに寄与しない被支持片が設けられていてもよい。この被支持片は、粘着テープを用いて支持部材に貼り付けられる。この場合、貫通孔が形成されており、位置決めに寄与する被支持片は支持部材に貼り付けられない構成でもよい。
【００６５】
本発明の実施の形態に係る表示装置は、テレビジョン受信機１として構成されている表示装置１１に限定されず、電子看板、又は、パーソナルコンピュータ用のモニタ等として構成されていてもよい。
本発明の実施の形態に係る照明装置は、表示装置１１に組み込まれるバックライトユニット２３のようなものに限定されない。例えば、照明装置は、携帯電話機又は携帯情報端末装置等が備える表示部のバックライトユニットとして構成されていてもよい。或いは、照明装置は、シーリングライト又は壁掛け照明器具等として構成されていてもよい。シーリングライトとして構成されている場合、例えば導光板が正面を下向きにして横姿勢で配されていてもよい。
【００６６】
最後に、本発明の実施の形態についてまとめる。
【００６７】
本発明に係るバックライトユニット２３は、光源部３６１，３６２が発した光を正面から出射する導光板３３と、該導光板３３の前記正面の側にて積層配置されているＮ（Ｎは複数）枚の光学シート４１，４２，４３と、該Ｎ枚の光学シート４１，４２，４３を支持する上枠部３２１とを備えるバックライトユニット２３において、前記Ｎ枚の光学シート４１，４２，４３夫々の周縁部における互いに対応する位置に、夫々の面積を積層方向に順に増／減してある被支持片４１２，４２２，４３２（被支持片４１５，４２５，４３５、又は被支持片４１６，４２６，４３６）が設けられており、前記Ｎ枚の光学シート４１，４２，４３の互いに対応するＮ枚の被支持片４１２，４２２，４３２（被支持片４１５，４２５，４３５、又は被支持片４１６，４２６，４３６）を前記上枠部３２１に貼り付ける粘着テープ５１（粘着テープ５２）を備えることを特徴とする。
【００６８】
本発明に係るバックライトユニット２３は、前記上枠部３２１は、前記Ｎ枚の被支持片４１２，４２２，４３２（被支持片４１６，４２６，４３６）よりも前記積層方向の一側に配されており、前記Ｎ枚の被支持片４１２，４２２，４３２（被支持片４１６，４２６，４３６）は、前記上枠部３２１に近いものほど面積が大きく、前記粘着テープ５１は、前記積層方向の他側から前記Ｎ枚の被支持片４１２，４２２，４３２（被支持片４１６，４２６，４３６）を前記上枠部３２１に貼り付けていることを特徴とする。
【００６９】
本発明に係るバックライトユニット２３は、前記Ｎ枚の被支持片４１２，４２２，４３２（被支持片４１５，４２５，４３５、又は被支持片４１６，４２６，４３６）は、面積が大きい被支持片４１２，４２２，４３２（被支持片４１５，４２５，４３５、又は被支持片４１６，４２６，４３６）ほど、前記光学シート４１，４２，４３の周縁方向の長さが長いことを特徴とする。
【００７０】
本発明に係るバックライトユニット２３は、前記Ｎ枚の被支持片４１２，４２２，４３２（被支持片４１５，４２５，４３５、又は被支持片４１６，４２６，４３６）夫々の対応する位置には貫通孔４１３，４２３，４３３が形成してあり、前記上枠部３２１には、前記Ｎ枚の被支持片４１２，４２２，４３２（被支持片４１５，４２５，４３５、又は被支持片４１６，４２６，４３６）の貫通孔４１３，４２３，４３３に挿入される位置決め突起３２５（又は位置決め突起３２６）が設けられていることを特徴とする。
【００７１】
本発明に係る表示装置１１は、本発明に係るバックライトユニット２３と、該バックライトユニット２３によって背面側から照明される表示パネル２２とを備えることを特徴とする。
【００７２】
本発明に係るテレビジョン受信機１は、本発明に係る表示装置１１と、テレビジョン放送を受信する受信部１２とを備え、該受信部１２にて受信したテレビジョン放送に基づいて、前記表示装置１１に映像を表示するようにしてあることを特徴とする。
【００７３】
本発明にあっては、粘着テープが、Ｎ枚の被支持片をまとめて支持部材に貼り付ける。
積層方向の一側の被支持片は、積層方向の他側の被支持片よりも面積が大きい。故に、積層されたＮ枚の被支持片は、階段状に配される。このとき、積層方向の他側の被支持片は、積層方向の一側の被支持片の一部を被覆し、残部を被覆しない。従って、Ｎ枚の被支持片よりも積層方向の他側に粘着テープを配置すれば、各被支持片における他の被支持片に被覆されていない部分が、粘着テープに十分に接着する。
【００７４】
本発明にあっては、積層方向の一側から他側に向けて、支持部材、被支持片、この被支持片よりも面積が小さい被支持片、…、この被支持片よりも面積が小さい被支持片、及び粘着テープ（例えば被支持片側に粘着面を有する片面テープ）の順に配されている。そして、粘着テープが、Ｎ枚の被支持片をまとめて支持部材に貼り付ける。
以上の場合、照明装置を製造する作業者は、粘着テープとＮ枚の被支持片夫々の少なくとも一部とを視認しながら、粘着テープを用いた貼り付け作業を行なうことができる。故に、作業性を向上させることができる。
【００７５】
本発明にあっては、面積が大きい被支持片ほど、光学シートの周縁方向の長さが長い。故に、Ｎ枚の被支持片は、光学シートの周縁方向に長い階段状に配される。このため、粘着テープの長手方向を光学シートの周縁方向に配することができる。この場合、粘着テープの長手方向を光学シートの周縁方向に交差する方向に配する場合に比べて、表示装置の狭額縁化を促進することができる。
【００７６】
本発明にあっては、支持部材の位置決め突起を各被支持片の貫通孔に挿入することによって、各光学シートを支持部材に対して位置決めすることができる。
Ｎ枚の光学シートを位置決めしてから粘着テープを用いてＮ枚の被支持片を支持部材に貼り付ければ、貼り付け作業時に各光学シートが位置ズレしてしまうことを抑制することができる。
【００７７】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、表示装置１１又はバックライトユニット２３に、実施の形態１〜３に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００７８】
１１  表示装置
２２  表示パネル
２３  バックライトユニット（照明装置）
３２１  上枠部（支持部材）
３２５  位置決め突起
３３  導光板
３６１，３６２  光源部
４１，４２，４３  光学シート
４１２，４２２，４３２  被支持片
４１３，４２３，４３３  貫通孔
５１，５２  粘着テープ
【図１】
2015090816.tif 000003
【図２】
2015090816.tif 000004
【図３】
2015090816.tif 000005
【図４】
2015090816.tif 000006
【図５】
2015090816.tif 000007
【図６】
2015090816.tif 000008
【図７】
2015090816.tif 000009
【図８】
2015090816.tif 000010
【図９】
2015090816.tif 000011
【手続補正書】
【提出日】平成26年11月5日(2014.11.5)
【手続補正１】
【補正対象書類名】明細書
【補正対象項目名】０００９
【補正方法】変更
【補正の内容】
【０００９】
本発明に係る照明装置は、光源部が発した光を一面から出射する導光板と、該導光板の前記一面の側にて積層配置されているＮ（Ｎは複数）枚の光学シートと、該Ｎ枚の光学シートを支持する支持部材とを備える照明装置において、前記Ｎ枚の光学シート夫々の周縁部における互いに対応する位置に、夫々の面積を積層方向に順に減少してある被支持片が設けられており、前記Ｎ枚の光学シートの互いに対応するＮ枚の被支持片を前記支持部材に貼り付ける粘着テープを備えることを特徴とする。
本発明に係る照明装置は、光源部が発した光を一面から出射する導光板と、該導光板の前記一面の側にて積層配置されているＮ（Ｎは複数）枚の光学シートと、該Ｎ枚の光学シートを支持する支持部材とを備える照明装置において、前記Ｎ枚の光学シート夫々の周縁部における互いに対応する位置に、夫々の面積を積層方向に順に増大してある被支持片が設けられており、前記Ｎ枚の光学シートの互いに対応するＮ枚の被支持片を前記支持部材に貼り付ける粘着テープを備えることを特徴とする。
【手続補正２】
【補正対象書類名】明細書
【補正対象項目名】００６７
【補正方法】変更
【補正の内容】
【００６７】
本発明に係るバックライトユニット２３は、光源部３６１，３６２が発した光を正面から出射する導光板３３と、該導光板３３の前記正面の側にて積層配置されているＮ（Ｎは複数）枚の光学シート４１，４２，４３と、該Ｎ枚の光学シート４１，４２，４３を支持する上枠部３２１とを備えるバックライトユニット２３において、前記Ｎ枚の光学シート４１，４２，４３夫々の周縁部における互いに対応する位置に、夫々の面積を積層方向に順に減少してある被支持片４１２，４２２，４３２（被支持片４１５，４２５，４３５、又は被支持片４１６，４２６，４３６）が設けられており、前記Ｎ枚の光学シート４１，４２，４３の互いに対応するＮ枚の被支持片４１２，４２２，４３２（被支持片４１５，４２５，４３５、又は被支持片４１６，４２６，４３６）を前記上枠部３２１に貼り付ける粘着テープ５１（粘着テープ５２）を備えることを特徴とする。
本発明に係るバックライトユニット２３は、光源部３６１，３６２が発した光を正面から出射する導光板３３と、該導光板３３の前記正面の側にて積層配置されているＮ（Ｎは複数）枚の光学シート４１，４２，４３と、該Ｎ枚の光学シート４１，４２，４３を支持する上枠部３２１とを備えるバックライトユニット２３において、前記Ｎ枚の光学シート４１，４２，４３夫々の周縁部における互いに対応する位置に、夫々の面積を積層方向に順に増大してある被支持片４１２，４２２，４３２（被支持片４１５，４２５，４３５、又は被支持片４１６，４２６，４３６）が設けられており、前記Ｎ枚の光学シート４１，４２，４３の互いに対応するＮ枚の被支持片４１２，４２２，４３２（被支持片４１５，４２５，４３５、又は被支持片４１６，４２６，４３６）を前記上枠部３２１に貼り付ける粘着テープ５１（粘着テープ５２）を備えることを特徴とする。
【手続補正３】
【補正対象書類名】特許請求の範囲
【補正対象項目名】全文
【補正方法】変更
【補正の内容】
【特許請求の範囲】
【請求項１】
光源部が発した光を一面から出射する導光板と、
該導光板の前記一面の側にて積層配置されているＮ（Ｎは複数）枚の光学シートと、
該Ｎ枚の光学シートを支持する支持部材と
を備える照明装置において、
前記Ｎ枚の光学シート夫々の周縁部における互いに対応する位置に、夫々の面積を積層方向に順に減少してある被支持片が設けられており、
前記Ｎ枚の光学シートの互いに対応するＮ枚の被支持片を前記支持部材に貼り付ける粘着テープを備えることを特徴とする照明装置。
【請求項２】
光源部が発した光を一面から出射する導光板と、
該導光板の前記一面の側にて積層配置されているＮ（Ｎは複数）枚の光学シートと、
該Ｎ枚の光学シートを支持する支持部材と
を備える照明装置において、
前記Ｎ枚の光学シート夫々の周縁部における互いに対応する位置に、夫々の面積を積層方向に順に増大してある被支持片が設けられており、
前記Ｎ枚の光学シートの互いに対応するＮ枚の被支持片を前記支持部材に貼り付ける粘着テープを備えることを特徴とする照明装置。
【請求項３】
前記支持部材は、前記Ｎ枚の被支持片よりも前記積層方向の一側に配されており、
前記Ｎ枚の被支持片は、前記支持部材に近いものほど面積が大きく、
前記粘着テープは、前記積層方向の他側から前記Ｎ枚の被支持片を前記支持部材に貼り付けていることを特徴とする請求項１又は２に記載の照明装置。
【請求項４】
前記Ｎ枚の被支持片は、面積が大きい被支持片ほど、前記光学シートの周縁方向の長さが長いことを特徴とする請求項１から３の何れかひとつに記載の照明装置。
【請求項５】
前記Ｎ枚の被支持片夫々の対応する位置には貫通孔が形成してあり、
前記支持部材には、前記Ｎ枚の被支持片の貫通孔に挿入される位置決め突起が設けられていることを特徴とする請求項１から４の何れかひとつに記載の照明装置。
【請求項６】
請求項１から５の何れかひとつに記載の照明装置と、
該照明装置によって背面側から照明される表示パネルと
を備えることを特徴とする表示装置。